(57)【要約】【課題】容器を振ることにより、その容器に収納された、例えば飲み物の水のクラスターを小さくして、その飲み物を美味しく、飲みやすく、口当たりが良いようにする。【解決手段】液体の移動にともなって流水抵抗を発生させる凹凸面を容器１の内面に形成する。また、液体の移動にともなって流水抵抗を発生させる複数の突起６を適宜間隔を有して容器１の内面に形成してもよい。前記の突起６を、容器１の上部内面に設けるとよい。前記の突起６を、隣接する突起６の間を通った液体が別の突起６に衝突するように配置するとよい。この突起６は略半球状、方形状、薄板などで形成するとよい。【選択図】        図１
2004299769.tif 000002
【特許請求の範囲】
【請求項１】
液体の移動にともなって流水抵抗を発生させる凹凸面を容器の内面に形成したことを特徴とする液体用容器。
【請求項２】
液体の移動にともなって流水抵抗を発生させる複数の突起を適宜間隔を有して容器の内面に形成したことを特徴とする液体用容器。
【請求項３】
容器の内面に複数の突起を、容器の縦方向にも横方向にも点在的に独立した状態で配置した液体用容器。
【請求項４】
前記の突起を、容器の上部内面に設けた請求項２又は３記載の液体用容器。
【請求項５】
前記の突起を、隣接する突起の間を通った液体が別の突起に衝突するように配置した請求項２乃至４のいずれかに記載の液体用容器。
【請求項６】
前記の突起を略半球状に形成した請求項２乃至５のいずれかに記載の液体用容器。
【請求項７】
前記の突起を方形状に形成した請求項２乃至５のいずれかに記載の液体用容器。
【請求項８】
前記の突起を、水平方向の薄板で形成した請求項２乃至５のいずれかに記載の液体用容器。
【請求項９】
容器が樹脂製の容器である請求項１乃至８のいずれかに記載の液体用容器。
【発明の詳細な説明】
【０００１】
【発明の属する技術分野】
本発明は、液体用容器に関するもので、より詳しくは、水、緑茶、コーヒー等の液体を収納する容器に関する。
【０００２】
【従来の技術】
従来、水、緑茶、コーヒー等の液体を販売する方法として、その液体を樹脂製の容器、缶、瓶等に収納して販売する方法がとられるが、この樹脂製の容器、缶、瓶等の内面は一般に平滑面である。例えばペットボトルと称される樹脂製容器においては、図７に示すようにその容器１０１の内面１０２の全面が凹凸のない平滑面である。
【０００３】
【発明が解決しようとする課題】
ところで、水は分子（Ｈ２Ｏ）が多数集合した状態で存在する。この水分子が集まった状態をクラスターと称される。
【０００４】
このクラスターは、水の静置状態では大きくなり、水を攪拌すると図８に示すように大きなクラスターＡは小さなクラスターａとなることが知られている。
【０００５】
また、水のクラスターが小さいほど、人が飲んだ場合に美味しく、飲みやすく、口当たりがよく、更には細胞の内と外、毛細血管と細胞外液の浸透性が向上し、細胞が活性化されて、新陳代謝を活発にする効果があることも知られている。
【０００６】
したがって、例えば水、緑茶、コーヒー等の液体の飲み物を樹脂製の容器、缶、瓶等に収納して店頭に長期に陳列した状態では前記の水のクラスターが大きくなり、これを購入してそのまま飲んだ場合には前記のような水のクラスターが小さい場合の効果が得られない。
【０００７】
また、購入後に、その樹脂製の容器や缶等を手で振っても、前記従来のように、その内面が平滑面であると、水のクラスターを小さくすることがむずかしく、前記の効果が得られにくい。
【０００８】
そこで本発明は、容器に収納された水や緑茶などの液体を、その容器を振ることにより、その水のクラスターを小さくして前記の効果が得られるようにする液体用容器を提供することを目的とするものである。
【０００９】
【課題を解決するための手段】
前記の課題を解決するために、請求項１記載の発明は、液体の移動にともなって流水抵抗を発生させる凹凸面を容器の内面に形成したことを特徴とするものである。
【００１０】
請求項２記載の発明は、液体の移動にともなって流水抵抗を発生させる複数の突起を適宜間隔を有して容器の内面に形成したことを特徴とするものである。
【００１１】
請求項３記載の発明は、容器の内面に複数の突起を、容器の縦方向にも横方向にも点在的に独立した状態で配置したものである。
【００１２】
請求項４記載の発明は、請求項２又は３記載の発明において、前記の突起を、容器の上部内面に設けたものである。
【００１３】
請求項５記載の発明は、請求項２乃至４のいずれかに記載の発明において、前記の突起を、隣接する突起の間を通った液体が別の突起に衝突するように配置したものである。
【００１４】
請求項６記載の発明は、請求項２乃至５のいずれかに記載の発明において、前記の突起を略半球状に形成したものである。
【００１５】
請求項７記載の発明は、請求項２乃至５のいずれかに記載の発明において、前記の突起を方形状に形成したものである。
【００１６】
請求項８記載の発明は、請求項２乃至５のいずれかに記載の発明において、前記の突起を、水平方向の薄板で形成したものである。
【００１７】
請求項９記載の発明は、請求項１乃至８のいずれかに記載の発明において、容器を樹脂で形成したものである。
【００１８】
【発明の実施の形態】
本発明の好ましい実施の形態を図１乃至図７に示す実施例に基づいて説明する。
【００１９】
図１及び図２は本発明を樹脂製の容器であるペットボトルに適用した第１実施例を示すもので、図１は樹脂製の容器の側断面図、図２は図１における突起を形成した部分の内面から見た展開図である。
【００２０】
本第１実施例において、容器１は、胴部２と、該胴部２の上部において上方が縮径するように円錐状に形成した肩部３と、該肩部３の上部に形成した口部４とからなり、これらは樹脂で一体成形されている。５は口部４に開閉可能に設けた栓である。
【００２１】
前記肩部３の内面、すなわち容器１の上部内面には、容器１内の液体の移動にともなって流水抵抗を発生させる凹凸面が形成されており、図の実施例では、流水抵抗を発生させる突起６が内側へ突出して容器と一体に成形されている。すなわち、複数の突起６が、容器１の縦方向にも横方向にも適宜間隔を有して点在的に独立した状態で配置されている。該突起６は、所定の直径の略半球状に形成されているとともに、縦方向（容器の軸芯方向）及び横方向（容器の周方向）において複数個、適宜間隔を有して配設されている。更に、該複数の突起６は、上下方向と周方向において千鳥状に配設されている。更に、該突起６は肩部３の全周において形成されている。
【００２２】
また、図２に示すように、横方向列の突起６間の中央を通る縦線Ｙ上に縦方向列の突起６が位置し、縦方向列の突起６間の中央を通る横線Ｘ上に横方向列の突起６が位置し、かつ、各突起６の直径Ｒが突起６間の距離Ｌよりも大きく設定されている。すなわち、隣接する突起６間を通った液体が、別の突起６に衝突するように配列されている。
【００２３】
以上の構造において、前記の容器１内に、例えば水、緑茶などの液体からなる飲み物７を入れて栓５で封をした状態で販売し、店頭等に陳列する。このように陳列して静置すると、その水のクラスターは大きくなる。
【００２４】
そして、前記の飲み物入りの容器１を購入した後、その購入者が手で、その容器１を上下方向もしくは左右方向などに振ると、内部の液体が上下方向、左右方向などに流動して突起６に衝突し、その突起６が流水抵抗となる。すなわち、流体の移動にともなって突起６が流通抵抗を発生させる。これにより、その水のクラスターは、図８に示すように、大きいクラスーＡから小さなクラスターａになる。また、振れの強さや量を増すにつれて水のクラスターはより小さくなる。また、図２に示すように各突起６を配置することにより、液体７の突起６への衝突がより確実となり、水のクラスターを一層小さくすることができる。
【００２５】
また、前記の突起６を容器１の上部内面に設けることにより、通常、容器１内の上部は液体がない空隙状態であり、かつ、容器１を振る場合はその容器１を立てた状態で振るため、液体７の液面近くの液体が突起６に強く衝突し、水のクラスターを小さくすることが良好に行える。
【００２６】
このように水のクラスターを小さくすることにより、その飲み物を飲んだ場合に、前記のように美味しく、飲みやすく、口当たりが良くなる。更には、血液の流れを良くし、消化器官からの吸収が良くなり、新陳代謝が活発になる。
【００２７】
図３及び図４は第２実施例を示す。
本第２実施例は、前記第１実施例の略半球状の突起６に代えて、流水抵抗を発生させる方形状の突起６Ａとしたものである。該方形状の突起６Ａの配置等、その他の構造は前記第１実施例と同様であるため、同一部分には前記と同一の符号を付してその説明は省略する。
【００２８】
本第２実施例においても前記第１実施例と同様の作用、効果を発揮できる。
図５は第３実施例を示す。
【００２９】
本第３実施例は、前記の突起６，６Ａに代えて、薄板状の流水抵抗を発生させる突起６Ｂを前記第２実施例と同様に配置したものである。その他の構造は前記第１実施例と同様である。
【００３０】
前記のような凹凸面を形成する突起は、容器１を振った場合に、液体が衝突してそのクラスターが小さくなるものであればよく、すなわち流水抵抗を発生させるものであればよく、前記実施例の形状に限るものではなく、その他の形状でもよい。
【００３１】
また、前記の突起６，６Ａ，６Ｂ等の突起は、前記の実施例では、樹脂製の容器１の肩部３の内面のみに設けたが、胴部２の内面のみに設けてもよく、更には胴部２と肩部３を含む容器１の全内面に設けてもよい。
【００３２】
更に、前記実施例は樹脂製の容器に本発明を適用した例であるが、その他、金属製の缶、ガラス瓶、紙製のテトラパック等の液体用の容器に前記のような突起６，６Ａ，６Ｂ等を、前記のような配列、前記のような位置に設けてもよい。
【００３３】
更に、本発明は液体用容器を対象としており、飲料である水、緑茶、コーヒー、ジュース、炭酸飲料、ビール、牛乳、乳酸飲料、酒、醤油、酢等、或いはドレッシング等、更には、その他化粧水などの液体の容器に適用できるものである。
【００３４】
【発明の効果】
以上のようであるから本発明の容器によれば、その液体を収納した容器を振ることにより、容器の内面に形成された凸面や突起に、その容器に収納された液体が衝突して、その水のクラスターを小さくすることができる。そのため、例えば飲料においては、これを飲んだ場合に美味しく、飲みやすく、口当たりを良くすることができ、更には新陳代謝を活発にすることができる。
【図面の簡単な説明】
【図１】本発明の第１実施例を示す容器の側断面図。
【図２】図１に示す突起を容器の内側から見た一部の展開図。
【図３】本発明の第２実施例を示す容器の側断面図。
【図４】図３に示す突起を容器の内側から見た一部の展開図。
【図５】本発明の第３実施例を示す容器の側断面図。
【図６】図５に示す突起を容器の内側から見た一部の展開図。
【図７】従来の容器を示す側断面図。
【図８】水のクラスターを示す図。
【符号の説明】
１    容器
２    胴部
３    肩部（上部）
６    突起
Ａ    大きい水のクラスター
ａ    小さい水のクラスター
【図１】
2004299769.tif 000003
【図２】
2004299769.tif 000004
【図３】
2004299769.tif 000005
【図４】
2004299769.tif 000006
【図５】
2004299769.tif 000007
【図６】
2004299769.tif 000008
【図７】
2004299769.tif 000009
【図８】
2004299769.tif 000010